(57)【要約】【課題】照明領域に照度ムラが発生することを抑制できる光学素子を提供する。【解決手段】光学素子２０は、屈折部２１と、拡散部２２とを備える。拡散部２２は、屈折部２１に対向する。屈折部２１は光を屈折させる。拡散部２２は光を拡散させる。屈折部２１は、光を屈折させる屈折要素２１ａを含む。屈折要素２１ａは、光学素子２０の厚み方向ＴＡに対して傾斜している。屈折部２１は、各々が光を屈折させる複数の屈折要素２１ａを含むとともに、複数の屈折領域Ａ７を有していてもよい。複数の屈折領域Ａ７のうちの隣り合う屈折領域Ａ７のそれぞれに位置する屈折要素２１ａの形状は、互いに異なっていてもよい。【選択図】図５
2018133241.tif 000002
【特許請求の範囲】
【請求項１】
光を屈折させる屈折部と、
前記屈折部に対向し、光を拡散させる拡散部と
を備える、光学素子。
【請求項２】
前記屈折部は、光を屈折させる屈折要素を含み、
前記屈折要素は、前記光学素子の厚み方向に対して傾斜している、請求項１に記載の光学素子。
【請求項３】
前記屈折部は、各々が光を屈折させる複数の屈折要素を含むとともに、複数の屈折領域を有し、
前記複数の屈折領域のうちの隣り合う屈折領域のそれぞれに位置する前記屈折要素の形状は、互いに異なる、請求項１に記載の光学素子。
【請求項４】
前記拡散部は、各々が光を拡散させる複数の拡散要素を含むとともに、複数の拡散領域を有し、
前記複数の拡散領域のうちの隣り合う拡散領域の一方に位置する前記拡散要素の形状又は性状は、前記隣り合う拡散領域の他方に位置する前記拡散要素の形状又は性状と異なる、請求項１から請求項３のいずれか１項に記載の光学素子。
【請求項５】
請求項１から請求項４のいずれか１項に記載の光学素子と、
光を出射する発光部と
を備える、照明器具。
【発明の詳細な説明】
【技術分野】
【０００１】
本発明は、光学素子および照明器具に関する。
【背景技術】
【０００２】
特許文献１に記載された照明装置は、ウォールウォッシャーダウンライト用支持枠、光源ユニット、及び配光変換パネル（光学素子）で構成される。光源ユニットは、ＬＥＤ及びＬＥＤを収容する光源本体を有する。配光変換パネルは、光源本体に嵌合されている。配光変換パネルは、ＬＥＤからの照射光を所定の配光及び所定の形に変換する。
【先行技術文献】
【特許文献】
【０００３】
【特許文献１】特開２０１６−５１５９６号公報
【発明の概要】
【発明が解決しようとする課題】
【０００４】
しかしながら、特許文献１には、配光変換パネルの具体的な構造が開示されていない。従って、特許文献１の照明器具では、配光変換パネルが変換した照射光の照明領域には、照度ムラが発生する場合がある。例えば、特許文献１の照明器具によって壁と天井とが交わる部分（入り隅）を照射する場合、壁の上部領域の照度が高く、壁の下部領域の照度が低い場合があり、壁の全体に亘って照度ムラが発生する場合がある。
【０００５】
本発明は上記課題に鑑みてなされたものであり、その目的は、照明領域に照度ムラが発生することを抑制できる光学素子および照明器具を提供することにある。
【課題を解決するための手段】
【０００６】
本願に開示する光学素子は、屈折部と、拡散部とを備える。屈折部は、光を屈折させる。拡散部は、前記屈折部に対向し、光を拡散させる。
【０００７】
本願に開示する光学素子において、前記屈折部は、光を屈折させる屈折要素を含むことが好ましい。前記屈折要素は、前記光学素子の厚み方向に対して傾斜していることが好ましい。
【０００８】
本願に開示する光学素子おいて、前記屈折部は、各々が光を屈折させる複数の屈折要素を含むとともに、複数の屈折領域を有することが好ましい。前記複数の屈折領域のうちの隣り合う屈折領域のそれぞれに位置する前記屈折要素の形状は、互いに異なることが好ましい。
【０００９】
本願に開示する光学素子において、前記拡散部は、各々が光を拡散させる複数の拡散要素を含むとともに、複数の拡散領域を有することが好ましい。前記複数の拡散領域のうちの隣り合う拡散領域の一方に位置する前記拡散要素の形状又は性状は、前記隣り合う拡散領域の他方に位置する前記拡散要素の形状又は性状と異なることが好ましい。
【００１０】
本願に開示する照明器具は、上記の光学素子と、光を出射する発光部とを備える。
【発明の効果】
【００１１】
本発明によれば、照明領域に照度ムラが発生することを抑制できる。
【図面の簡単な説明】
【００１２】
【図１】本発明の実施形態に係る照明器具が取り付けられた室内を示す模式的側面図である。
【図２】本発明の実施形態に係る照明器具を示す模式的側面図である。
【図３】実施形態に係る照明器具を上方から見たときの分解斜視図である。
【図４】実施形態に係る照明器具を下方から見たときの分解斜視図である。
【図５】実施形態に係る照明器具の光学素子を示す拡大断面図である。
【図６】（ａ）は、実施形態の第１変形例に係る照明器具の光学素子の屈折部を示す平面図である。（ｂ）は、第１変形例に係る照明器具の光学素子を示す拡大断面図である。
【図７】（ａ）は、実施形態の第２変形例に係る照明器具の光学素子の屈折部を示す平面図である。（ｂ）は、第２変形例に係る照明器具の光学素子を示す拡大断面図である。
【図８】（ａ）は、実施形態の第３変形例に係る照明器具の光学素子の拡散部を示す平面図である。（ｂ）は、第３変形例に係る照明器具の光学素子を示す拡大断面図である。
【図９】実施形態の第４変形例に係る照明器具を示す模式的側面図である。
【図１０】第４変形例に係る照明器具の光学素子を示す拡大断面図である。
【発明を実施するための形態】
【００１３】
以下、本発明の実施形態について、図面を参照しながら説明する。なお、図中、同一または相当部分については同一の参照符号を付して説明を繰り返さない。また、本明細書において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１４】
図１及び図２を参照して、本発明の実施形態に係る照明器具１について説明する。図１は、照明器具１が取り付けられた室内Ｒを示す模式的側面図である。図２は、照明器具１を示す模式的側面図である。図１に示すように、照明器具１は、例えば、室内Ｒに取り付けられるウォールウォッシャーライトである。具体的には、照明器具１は、例えば、室内Ｒの天井Ｃに取り付けられる。照明器具１の照明対象物は、例えば、室内Ｒの壁Ｗａである。また、照明器具１の照明領域は、例えば、壁Ｗａの壁面Ｗｓである。本実施形態において、照明器具１は、壁Ｗａの上部領域Ｗｕと、壁Ｗａの下部領域Ｗｄとを照射する。
【００１５】
図２に示すように、照明器具１は、光学素子２０と、光源４２とを備える。光源４２は、発光する。具体的には、光源４２は、基板４１と、発光部４０とを含む。発光部４０は、基板４１に形成され、光を出射する。発光部４０は、本実施形態では、ＬＥＤ（Ｌｉｇｈｔ  Ｅｍｉｔｔｉｎｇ  Ｄｉｏｄｅ）を含む。
【００１６】
光学素子２０は、光を透過する。光学素子２０は、屈折部２１と、拡散部２２とを備える。屈折部２１は、発光部４０に対向する。屈折部２１は、光を屈折させる。具体的には、屈折部２１は、屈折部２１に入射した光を任意の向きに屈折させる。例えば、屈折部２１は、屈折部２１に入射した光が照明器具１の照明対象物に向かって屈折するように、屈折部２１に入射した光を屈折させる。本実施形態において、屈折部２１は、屈折部２１に入射した光が壁Ｗａに向かって屈折するように、屈折部２１に入射した光を屈折させる。
【００１７】
拡散部２２は、屈折部２１に対向する。拡散部２２は、光を拡散させる。本明細書において、光の拡散は、光を広げること又は光を散乱することを含む概念である。光の散乱は、光を乱反射等して光を散らすことを示す。具体的には、拡散部２２には、屈折部２１によって屈折された光が入射する。そして、拡散部２２は、拡散部２２に入射した光を拡散させて出射するように、拡散部２２に入射した光を拡散させる。従って、発光部４０が出射した光は、照明器具１の照明対象物に向かうように屈折部２１に屈折されて、拡散部２２に拡散された後に、照明器具１から出射する。その結果、照明器具から屈折光が直接出射される場合と比較して、照明領域に照度ムラが発生することを抑制できる。以下、図１〜図４を参照して照明器具１の詳細について説明する。
【００１８】
図２に示すように、照明器具１は、枠体１０と、ヒートシンク５０とをさらに備える。枠体１０、光学素子２０、及びヒートシンク５０の各々は、発光部４０の光軸ＬＡ上に配置されている。光軸ＬＡは、発光部４０に直交し、発光部４０の中心を通る。本実施形態において、光軸ＬＡは、鉛直方向に沿っている。
【００１９】
図３は、照明器具１を上方から見たときの分解斜視図である。図４は、照明器具１を下方から見たときの分解斜視図である。なお、図１〜図４では、図面の簡略化のため、ヒートシンク５０のフィンを省略している。
【００２０】
図１〜図４に示すように、ヒートシンク５０の底面の略中央部には、基板４１が取り付けられる。ヒートシンク５０は、基板４１上の発光部４０が発した熱を放散する。熱の放散とは、放熱のことである。ヒートシンク５０は、伝熱性の高い材料で形成されており、例えば金属で形成されていることが好ましい。金属の中でも、成形加工の容易性や照明器具１の軽量化を考慮し、例えばアルミニウムまたはアルミニウム合金で形成されていることが好ましい。ヒートシンク５０は、発光部４０の異常な温度上昇を抑制する。
【００２１】
発光部４０は、ＣＯＢ（Ｃｈｉｐ  ｏｎ  Ｂｏａｒｄ）タイプである。ＣＯＢタイプは、複数のＬＥＤを蛍光体で封止することにより発光部４０を基板４１に形成するタイプである。なお、発光部４０は、ＳＭＤ（Ｓｕｒｆａｃｅ  Ｍｏｕｎｔ  Ｄｅｖｉｃｅ）タイプであってもよい。ＳＭＤタイプは、ＬＥＤと蛍光体とを１ユニット化してＬＥＤチップを形成し、複数のＬＥＤチップを基板４１の実装面に載置して基板４１の導電パターンに電気的に接続することにより発光部４０を形成するタイプである。なお、発光部４０は、１つのＬＥＤを有していてもよい。また、発光部４０の形状は、任意の形状であってよい。発光部４０は、例えば、略円板状である。基板４１は、光軸ＬＡに略直交する。
【００２２】
枠体１０は、ヒートシンク５０の底面に対向する。枠体１０は、発光部４０の出射した光が、天井Ｃ裏に漏れることを抑制する。
【００２３】
枠体１０は、第１開口１１と第２開口１２とを有する。第１開口１１及び第２開口１２の各々は略円形状である。第１開口１１及び第２開口１２の各々は、発光部４０の光軸ＬＡ上に位置する。第１開口１１は、光軸ＬＡ上において第２開口１２よりも発光部４０に近い。発光部４０が出射した光は、第１開口１１に入射する。
【００２４】
また、枠体１０は、第１張り出し部１３と、連結部１４と、第２張り出し部１５とを含む。第１張り出し部１３は、光軸ＬＡ上において、連結部１４よりも発光部４０に近く、第２張り出し部１５よりも発光部４０に近い。第１張り出し部１３は、連結部１４に対して張り出している。第１張り出し部１３は、光源４２を囲む。第１張り出し部１３は、略輪帯状の取付部１３ａを含む。取付部１３ａは、第１張り出し部１３の内壁面に沿って形成される。取付部１３ａは、略平坦面であり、光軸ＬＡに略直交する。取付部１３ａには、ヒートシンク５０の底面が取り付けられる。
【００２５】
連結部１４は、光軸ＬＡ上において、第１張り出し部１３と第２張り出し部１５との間に位置する。また、連結部１４は、第２張り出し部１５よりも発光部４０に近い。連結部１４は、第１張り出し部１３と第２張り出し部１５とを連結する。連結部１４は、中空の略錐台状である。本実施形態において、連結部１４は、中空の略円錐台状である。連結部１４の第１張り出し部１３の側の端部には、第１開口１１が形成される。一方、連結部１４の第２張り出し部１５の側の端部には、第２開口１２が形成される。
【００２６】
連結部１４の内面１４ａは、例えば、反射率の高い色彩を有し、又は反射率の高い素材により形成され、発光部４０の出射した光を反射する。つまり、内面１４ａは反射面として機能する。内面１４ａの直径は、内面１４ａのうち第１開口１１に近い側から第２開口１２に近い側に向かって漸次大きくなる。内面１４ａは、例えば、放物面、楕円面、又は非球面により形成される。従って、照明器具１はさらに効果的に照明できる。
【００２７】
連結部１４の内面１４ａには、光を効率良く反射するために、白色塗装、銀色塗装、又は光沢のある金属メッキなどの反射加工が施されていることが好ましい。
【００２８】
第２張り出し部１５は、連結部１４に対して張り出している。第２張り出し部１５には、光学素子２０が装着される。
【００２９】
光学素子２０は、略板状である。本実施形態において、光学素子２０は、略円板状である。なお、光学素子２０は、略円板状に限定されず、任意の形状であってもよい。光学素子２０は、光軸ＬＡに略直交する。光学素子２０は、第２開口１２を塞ぐように配置される。従って、光学素子２０は、発光部４０が露出することを抑制して、発光部４０に粉塵が付着することを抑制できる。光学素子２０の屈折部２１は、光学素子２０の拡散部２２よりも発光部４０に近い。
【００３０】
発光部４０が出射した光は、枠体１０の第１開口１１に入射する。第１開口１１に入射した光の一部は、連結部１４の内面１４ａに入射する。そして、光は、内面１４ａに反射されて、第２開口１２から出射する。また、第１開口１１に入射した光の他の一部は、第２開口１２から直接出射する。
【００３１】
第２開口１２から出射した光は、光学素子２０の屈折部２１に入射する。屈折部２１に入射した光は、屈折部２１に屈折され、拡散部２２に入射する。拡散部２２に入射した光は、拡散部２２に拡散される。拡散部２２に拡散された光は、拡散部２２から出射する。すなわち、発光部４０が出射した光は、屈折及び拡散されて照明器具１から出射される。そして、光は、照明対象物としての壁Ｗａに照射される。
【００３２】
以上、図１〜図４を参照して説明したように、本実施形態によれば、屈折部２１は、発光部４０が出射した光が照明対象物を照射するように、発光部４０が出射した光を屈折させる。従って、照明器具１の照明対象物が発光部４０の光軸ＬＡ上に位置しない場合に、照明器具１を傾かせることなく、照明器具１は照明対象物を照射できる。例えば、本実施形態において、照明器具１を構成する枠体１０、光学素子２０、及びヒートシンク５０の各々は、光軸ＬＡ上に配置されている。すなわち、照明器具１は、鉛直方向に沿って配置されている。従って、鉛直方向に対して照明器具１を傾かせることなく、照明器具１の照明対象物を照射できる。その結果、照明器具１の取り付けスペースを削減できる。
【００３３】
また、本実施形態によれば、拡散部２２は、発光部４０が出射した光を拡散させる。従って、照明器具１から出射される光は拡散されている。その結果、照明器具１の斜め下方に位置する人が照明器具１から出射される光による眩しさを感じることを抑制できる。
【００３４】
次に、図３及び図５を参照して、光学素子２０の詳細について説明する。図５は、光学素子２０を示す図３のＶ−Ｖ線に沿った拡大断面図である。なお、図５では、図面の簡略化のため、光学素子２０の断面を示す斜線を省略している。また、図５では、説明の便宜上、屈折部２１に入射する光のうち、光軸ＬＡに沿って屈折部２１に入射する光ＬＴ１のみを図示している。
【００３５】
図５に示すように、光学素子２０の厚み方向ＴＡは、発光部４０の光軸ＬＡに沿っている。つまり、厚み方向ＴＡは、光軸ＬＡに略平行である。また、光学素子２０の厚み方向ＴＡは、略板状の光学素子２０の法線に沿っている。つまり、厚み方向ＴＡは、光学素子２０の法線に略平行である。光学素子２０は、透過部２３をさらに備える。屈折部２１と、透過部２３と、拡散部２２とは、一体成形されて、光学素子２０が形成される。なお、本実施形態の屈折部２１と、透過部２３と、拡散部２２とを一体形成することは、一例である。
【００３６】
屈折部２１は、光を屈折させる。すなわち、屈折部２１は、光が所定方向Ｄに偏るように光を曲げる。本明細書において、屈折部２１は、光軸ＬＡに対して光が所定方向Ｄに偏るように光を曲げる。つまり、屈折部２１は、光学素子２０の厚み方向ＴＡに対して光が所定方向Ｄに偏るように光を曲げる。本明細書において、光を曲げるとは、光の進行方向を変えることを示す。所定方向Ｄは、光軸ＬＡに交差する。本明細書において、所定方向Ｄは光軸ＬＡに直交する。
【００３７】
屈折部２１は、複数の屈折要素２１ａを含む。複数の屈折要素２１ａの各々は光を屈折させる。屈折要素２１ａは、傾斜面２１ｂを有する。屈折要素２１ａは、断面視において略三角形状（具体的には略直角三角形状）である。屈折要素２１ａは、略三角柱状であり、一方向（本実施形態では、Ｙ軸方向）に沿って延びている。複数の屈折要素２１ａは、略平行である。
【００３８】
屈折要素２１ａは、光学素子２０の厚み方向ＴＡに対して角度θ１だけ傾斜する。具体的には、屈折要素２１ａの傾斜面２１ｂは、光学素子２０の厚み方向ＴＡに対して角度θ１だけ傾斜する。角度θ１は、光学素子２０の厚み方向ＴＡに対する傾斜面２１ｂの角度を示す。角度θ１は鋭角である。傾斜面２１ｂは、屈折要素２１ａに入射した光ＬＴ１が、照明対象物に向かって屈折するように形成されている。角度θ１の大きさは、例えば、屈折要素２１ａの幅Ｗ及び／又は屈折要素２１ａの高さＨを変えることによって決定できる。なお、本明細書において、屈折要素２１ａの幅は、厚み方向ＴＡに直交する方向に沿った屈折要素２１ａの長さを示す。また、屈折要素２１ａの高さは、厚み方向ＴＡに沿った屈折要素２１ａの長さを示す。
【００３９】
透過部２３は、光を透過する。透過部２３は、屈折部２１と拡散部２２との間に位置する。
【００４０】
拡散部２２は、拡散部２２に入射する光を拡散する。図５の例では、拡散部２２は、光を散乱する。本実施形態において、拡散部２２は、拡散部２２の光出射面に微小な凹凸を設けることによって形成される。すなわち、拡散部２２は、凹凸形状を有する。具体的には、拡散部２２は、複数の拡散要素２２ａを含む。本実施形態において、複数の拡散要素２２ａの各々は、屈折部２１から離れるように凸状に湾曲し、光を拡散させる。図５の例では、拡散要素２２ａは光を散乱させる。拡散要素２２ａは、断面視において略欠円状である。本実施形態において、拡散要素２２ａは、略球欠状である。ただし、拡散要素２２ａが拡散要素２２ａに入射する光を拡散する限り、拡散要素２２ａの形状は任意の形状であってよい。また、本実施形態において、複数の拡散要素２２ａは格子状に配置される（図４）。ただし、複数の拡散要素２２ａは、千鳥状に配置されてもよいし、任意に配置されてよい。本実施形態において、拡散部２２は、ディフュージョンレンズとして機能する。
【００４１】
発光部４０が出射した光ＬＴ１は、屈折要素２１ａの傾斜面２１ｂに入射する。屈折要素２１ａは、傾斜面２１ｂに入射した光ＬＴ１が照明対象物に向かうように、屈折要素２１ａに入射した光ＬＴ１を屈折させる。屈折要素２１ａが屈折させた光ＬＴ１は、透過部２３に入射する。透過部２３は、透過部２３に入射した光ＬＴ１を透過させる。透過部２３が透過させた光ＬＴ１は、拡散要素２２ａに入射する。拡散要素２２ａは、拡散要素２２ａに入射した光ＬＴ１を拡散させる。拡散要素２２ａは、拡散要素２２ａが拡散させた光ＬＴ１を、光ＬＤ１として出射させる。拡散要素２２ａが出射させた光ＬＤ１は、照明器具１から出射する。
【００４２】
以上、図３及び図５を参照して説明したように、本実施形態によれば、屈折部２１は、光学素子２０の厚み方向ＴＡに対して、角度θ１だけ傾斜する屈折要素２１ａを含む。屈折要素２１ａは、屈折要素２１ａに入射した光ＬＴ１が、照明器具１の照明対象物に向かって屈折するように形成されている。従って、発光部４０が出射した光ＬＴ１は、照明器具１の照明対象物を照射できる。
【００４３】
また、本実施形態によれば、拡散部２２は、屈折部２１から離れるように凸状に湾曲する拡散要素２２ａを含む。従って、拡散部２２は、拡散部２２に入射した光ＬＴ１を拡散させることができる。その結果、照明対象物（例えば壁Ｗａ（図１））の照明領域（例えば壁面Ｗｓ（図１））の照度が略均一になり、照明領域に照度ムラが発生することを抑制できる。例えば、照明器具１によって壁Ｗａと天井Ｃ（図１）とが交わる部分（入り隅）を照射する場合、壁Ｗａの上部領域Ｗｕの照度と、壁Ｗａの下部領域Ｗｄの照度とが略均一になり、壁面Ｗｓに照度ムラが発生することを抑制できる。
【００４４】
（第１変形例）
次に、図１及び図６を参照して、本実施形態の第１変形例について説明する。第１変形例に係る照明器具１は、光学素子２０に代えて、光学素子７０を備える点で、図１に示す照明器具１と異なる。以下、第１変形例に係る照明器具１について、図１に示す照明器具１と異なる点を主に説明する。
【００４５】
図６（ａ）は、第１変形例に係る光学素子７０の屈折部７１を示す平面図である。図６（ｂ）は、図６（ａ）のＶＩＢ−ＶＩＢ線に沿った光学素子７０の模式的断面図である。なお、図６（ｂ）では、図面の簡略化のため、光学素子７０の断面を示す斜線を省略している。また、図６（ｂ）では、説明の便宜上、光学素子７０に入射する光のうち、光軸ＬＡに沿って光学素子７０に入射する光ＬＴ２及び光ＬＴ３のみを図示している。また、照明器具１が天井Ｃに取り付けられ、照明器具１の照明対象物が照明器具１の取り付けられている室内Ｒの壁Ｗａである場合を例に挙げて説明する。
【００４６】
図６（ａ）及び図６（ｂ）に示すように、光学素子７０は、屈折部７１と、拡散部７２と、透過部７３とを備える。拡散部７２は、屈折部７１に対向する。屈折部７１は、拡散部７２よりも発光部４０に近い。透過部７３は、拡散部７２と屈折部７１との間に位置する。透過部７３の構成は、図５を参照して説明した透過部２３の構成と同様である。また、拡散部７２の構成は、図５を参照して説明した拡散部２２の構成と同様である。従って、透過部７３の構成、及び拡散部７２の構成についての説明は省略する。
【００４７】
屈折部７１は、光を屈折させる。屈折部７１は、複数の屈折領域Ａ７を有する。第１変形例では、屈折部７１は、２つの屈折領域Ａ７を有する。以下、第１変形例において、２つの屈折領域Ａ７のうちの一方を第１屈折領域Ａ７１と記載し、２つの屈折領域Ａ７のうちの他方を第２屈折領域Ａ７２と記載する。第１屈折領域Ａ７１と第２屈折領域Ａ７２とは隣り合う。第１屈折領域Ａ７１が第２屈折領域Ａ７２よりも照明器具１の照明対象物に近くなるように、照明器具１は配置される。すなわち、第１変形例において、第１屈折領域Ａ７１は、第２屈折領域Ａ７２よりも壁Ｗａに近い。
【００４８】
また、屈折部７１は、複数の屈折要素７１ａを含む。屈折要素７１ａは光を屈折させる。屈折要素７１ａは、断面視において略三角形状（具体的には略直角三角形状）である。屈折要素７１ａは、略三角柱状であり、一方向（本実施形態では、Ｙ軸方向）に沿って延びている。複数の屈折要素７１ａは、略平行である。以下、第１変形例において、第１屈折領域Ａ７１に位置する屈折要素７１ａを第１屈折要素７１ａ１と記載し、第２屈折領域Ａ７２に位置する屈折要素７１ａを第２屈折要素７１ａ２と記載する。第１屈折要素７１ａ１の形状は、第２屈折要素７１ａ２の形状と異なる。具体的には、第１屈折要素７１ａ１の傾斜面７１ｂ１は、光学素子７０の厚み方向ＴＡに対して角度θ２だけ傾斜する。一方、第２屈折要素７１ａ２の傾斜面７１ｂ２は、光学素子７０の厚み方向ＴＡに対して角度θ３だけ傾斜する。角度θ２は角度θ３と異なる。本実施形態において、角度θ２は、角度θ３よりも小さい。つまり、厚み方向ＴＡに対する傾斜面７１ｂ１の傾斜は、厚み方向ＴＡに対する傾斜面７１ｂ２の傾斜よりも小さい。角度θ２と角度θ３とが異なる場合、つまり、傾斜面７１ｂ１の傾斜角度θ２と傾斜面７１ｂ２の傾斜角度θ３とが異なる場合は、第１屈折要素７１ａ１の形状と第２屈折要素７１ａ２の形状とが異なることを示す。
【００４９】
第１屈折要素７１ａ１は、第１屈折要素７１ａ１に入射した光ＬＴ２を光学素子７０の厚み方向ＴＡに対して角度θ４だけ屈折させる。一方、第２屈折要素７１ａ２は、第２屈折要素７１ａ２に入射した光ＬＴ３を光学素子７０の厚み方向ＴＡに対して角度θ５だけ屈折させる。角度θ４は、角度θ５よりも大きい。従って、第１屈折要素７１ａ１は、第１屈折要素７１ａ１に入射した光Ｌ２を、照明対象物である壁Ｗａの上部領域Ｗｕに向かって屈折させる。一方、第２屈折要素７１ａ２は、第２屈折要素７１ａ２に入射した光ＬＴ３を、壁Ｗａの下部領域Ｗｄに向かって屈折させる。
【００５０】
第１屈折要素７１ａ１が屈折させた光ＬＴ２、及び第２屈折要素７１ａ２が屈折させた光ＬＴ３の各々は、透過部７３に入射する。透過部７３は、透過部７３に入射した光ＬＴ２及び光ＬＴ３を透過させる。透過部７３が透過させた光ＬＴ２及び光ＬＴ３は、拡散要素７２ａに入射する。拡散要素７２ａは、拡散要素７２ａに入射した光ＬＴ２及び光ＬＴ３を拡散させる。拡散要素７２ａは、拡散要素７２ａが拡散させた光ＬＴ２を光ＬＤ２として出射させ、拡散要素７２ａが拡散させた光ＬＴ３を光ＬＤ３として出射させる。拡散要素７２ａが出射させた光ＬＤ２及び光ＬＤ３は、照明器具１から出射する。そして、光ＬＤ２は、照明対象物としての壁Ｗａの上部領域Ｗｕに照射される。一方、光ＬＤ３は、照明対象物としての壁Ｗａの下部領域Ｗｄに照射される。
【００５１】
以上、図１及び図６を参照して説明したように、第１変形例によれば、複数の屈折領域Ａ７のうちの第１屈折領域Ａ７１に位置する第１屈折要素７１ａ１の形状は、複数の屈折領域Ａ７のうちの第２屈折領域Ａ７２に位置する第２屈折要素７１ａ２の形状と異なる。従って、複数の屈折要素７１ａの形状が全て同じ形状である場合と比較して、光学素子７０を出射する光の照明領域が拡がる。その結果、照明器具１の照明領域が拡がる。
【００５２】
また、第１変形例によれば、照明器具１が出射させる光は、拡散している。従って、照明器具１の照明領域の照度を均一に照射できる。その結果、照明器具１の照明領域に照度ムラが発生することを抑制できる。
【００５３】
（第２変形例）
次に、図１及び図７を参照して、本実施形態の第２変形例について説明する。第２変形例に係る照明器具１は、光学素子２０に代えて、光学素子８０を備える点で、図１に示す照明器具１と異なる。以下、第２変形例に係る照明器具１について、図１に示す照明器具１と異なる点を主に説明する。
【００５４】
図７（ａ）は、第２変形例に係る光学素子８０の屈折部８１を示す平面図である。図７（ｂ）は、図７（ａ）のＶＩＩＢ−ＶＩＩＢ線に沿った光学素子８０の模式的断面図である。なお、図７（ｂ）では、図面の簡略化のため、光学素子８０の断面を示す斜線を省略している。また、図７では、説明の便宜上、光学素子８０に入射する光のうち、光軸ＬＡに沿って光学素子８０に入射する光ＬＴ４及び光ＬＴ５のみを図示している。また、照明器具１が天井Ｃに取り付けられ、照明器具１の照明対象物が、照明器具１の取り付けられている室内Ｒの壁Ｗａと床Ｆとである場合を例に挙げて説明する。壁Ｗａを第１照明対象物と記載し、床Ｆを第２照明対象物と記載する場合がある。
【００５５】
光学素子８０は、屈折部８１と、拡散部８２と、透過部８３とを備える。拡散部８２は、屈折部８１に対向する。屈折部８１は、拡散部８２よりも発光部４０に近い。透過部８３は、拡散部８２と屈折部８１との間に位置する。透過部８３の構成は、図５を参照して説明した透過部２３の構成と同様である。また、拡散部８２の構成は、図５を参照して説明した拡散部２２の構成と同様である。このため、透過部８３の構成、及び拡散部８２の構成についての説明は省略する。
【００５６】
屈折部８１は光を屈折させる。屈折部８１は、複数の屈折領域Ａ８を有する。第２変形例では、屈折部８１は、２つの屈折領域Ａ８を有する。以下、第２変形例において、２つの屈折領域Ａ８のうちの一方を第３屈折領域Ａ８３と記載し、２つの屈折領域Ａ８のうちの他方を第４屈折領域Ａ８４と記載する。第３屈折領域Ａ８３と第４屈折領域Ａ８４とは隣り合う。第３屈折領域Ａ８３が第４屈折領域Ａ８４よりも照明器具１の第１照明対象物に近くなるように、照明器具１は配置される。すなわち、第２変形例において、第３屈折領域Ａ８３は、第４屈折領域Ａ８４よりも壁Ｗａに近い。
【００５７】
また、屈折部８１は、複数の屈折要素８１ａを含む。複数の屈折要素８１ａの各々は光を屈折させる。複数の屈折要素８１ａの各々は、光学素子８０の厚み方向ＴＡに対して傾斜する。屈折要素８１ａは、断面視において略三角形状（具体的には略直角三角形状）である。屈折要素８１ａは、略三角柱状であり、一方向（本実施形態では、Ｙ軸方向）に沿って延びている。複数の屈折要素８１ａは、略平行である。以下、第２変形例において、第３屈折領域Ａ８３に位置する屈折要素８１ａを第３屈折要素８１ａ３と記載し、第４屈折領域Ａ８４に位置する屈折要素８１ａを第４屈折要素８１ａ４と記載する。第３屈折要素８１ａ３は、傾斜面８１ｂ３を有し、第４屈折要素８１ａ４は、傾斜面８１ｂ４を有する。
【００５８】
第３屈折要素８１ａ３の形状は、第４屈折要素８１ａ４の形状と異なる。具体的には、第３屈折要素８１ａ３の傾斜面８１ｂ３は、光学素子８０の厚み方向ＴＡに対して角度θ６だけ傾斜する。一方、第４屈折要素８１ａ４の傾斜面８１ｂ４は、光学素子８０の厚み方向ＴＡに対して角度θ７だけ傾斜する。角度θ６は、角度θ７よりも小さい。角度θ６は鋭角であり、角度θ７は鈍角である。つまり、傾斜面８１ｂ３の傾斜方向は、傾斜面８１ｂ４の傾斜方向と異なる。傾斜面８１ｂ３の傾斜方向と傾斜面８１ｂ４の傾斜方向とが異なる場合は、第３屈折要素８１ａ３の形状と第４屈折要素８１ａ４の形状とが異なることを示す。
【００５９】
第３屈折要素８１ａ３は、第３屈折要素８１ａ３に入射した光ＬＴ４を、光学素子８０の厚み方向ＴＡに対して角度θ８だけ、第１照明対象物の側に屈折させる。一方、第４屈折要素８１ａ４は、第４屈折要素８１ａ４に入射した光ＬＴ５を、光学素子８０の厚み方向ＴＡに対して角度θ９だけ、第２照明対象物の側に屈折させる。ここで、角度θ８は、厚み方向ＴＡに対して、時計回りの方向に光ＬＴ４が傾斜している角度を示す。角度θ９は、厚み方向ＴＡに対して、反時計回りの方向に光ＬＴ５が傾斜している角度を示す。従って、第３屈折要素８１ａ３は、第３屈折要素８１ａ３に入射した光ＬＴ４が第１照明対象物としての壁Ｗａに向かうように、光ＬＴ４を屈折させる。一方、第４屈折要素８１ａ４は、第４屈折要素８１ａ４に入射した光ＬＴ５が第２照明対象物としての床Ｆに向かうように、光ＬＴ５を屈折させる。
【００６０】
第３屈折要素８１ａ３が屈折させた光ＬＴ４、及び第４屈折要素８１ａ４が屈折させた光ＬＴ５は、透過部８３に入射する。透過部８３は、透過部８３に入射した光ＬＴ４及び光ＬＴ５を透過させる。透過部８３が透過させた光ＬＴ４及び光ＬＴ５は、拡散要素８２ａに入射する。拡散要素８２ａは、拡散要素８２ａに入射した光ＬＴ４及び光ＬＴ５を拡散させる。拡散要素８２ａは、拡散要素８２ａが拡散させた光ＬＴ４を光ＬＤ４として出射させ、拡散要素８２ａが拡散させた光ＬＴ５を光ＬＤ５として出射させる。拡散要素８２ａが出射させた光ＬＤ４及び光ＬＤ５は、照明器具１から出射する。そして、光ＬＤ２は、第１照明対象物としての壁Ｗａに照射される。一方、光ＬＤ３は、第２照明対象物としての床Ｆに照射される。
【００６１】
以上、図１及び図７を参照して説明したように、第２変形例によれば、複数の屈折領域Ａ８のうちの第３屈折領域Ａ８３に位置する第３屈折要素８１ａ１３の形状は、複数の屈折領域Ａ８のうちの第４屈折領域Ａ８４に位置する第４屈折要素８１ａ４の形状と異なる。従って、複数の屈折要素８１ａの形状が全て同じ形状である場合と比較して、光学素子８０を出射する光の照明領域が拡がる。その結果、照明器具１の照明領域が拡がる。例えば、照明器具１は、壁Ｗａと床Ｆとを照射できる。
【００６２】
また、第２変形例によれば、照明器具１が出射させる光は、拡散している。従って、照明器具１の照明領域の照度を略均一に照射できる。その結果、照明器具１の照明領域に照度ムラが発生することを抑制できる。
【００６３】
（第３変形例）
次に、図１及び図８を参照して、本実施形態の第３変形例について説明する。第３変形例に係る照明器具１は、光学素子２０に代えて、光学素子９０を備える点で、図１に示す照明器具１と異なる。以下、第３変形例に係る照明器具１について、図１に示す照明器具１と異なる点を主に説明する。
【００６４】
図８（ａ）は、第３変形例に係る光学素子９０の拡散部９２を示す平面図である。図８（ｂ）は、図８（ａ）のＶＩＩＩＢ−ＶＩＩＩＢ線に沿った光学素子９０の模式的断面図である。なお、図８（ｂ）では、図面の簡略化のため、光学素子９０の断面を示す斜線を省略している。また、図８では、説明の便宜上、光学素子９０に入射する光のうち、光軸ＬＡに沿って光学素子９０に入射する光ＬＴ６及び光ＬＴ７のみを図示している。また、照明器具１が天井Ｃに取り付けられ、照明器具１の照明対象物が、照明器具１の取り付けられている室内Ｒの壁Ｗａである場合を例に挙げて説明する。
【００６５】
図８（ａ）及び図８（ｂ）に示すように、光学素子９０は、屈折部９１と、拡散部９２と、透過部９３とを備える。拡散部９２は、屈折部９１に対向する。拡散部９２は光を拡散させる。図８（ｂ）の例では、拡散部９２は、光を散乱させる。屈折部９１は、拡散部９２よりも発光部４０に近い。透過部９３は、拡散部９２と屈折部９１との間に位置する。透過部９３は、光を透過する。屈折部９１の構成は、図５を参照して説明した屈折部２１の構成と同様である。また、透過部９３の構成は、図５を参照して説明した透過部２３の構成と同様である。このため、屈折部９１の構成及び透過部９３の構成についての説明は省略する。
【００６６】
拡散部９２は、複数の拡散領域Ａ９を有する。第３変形例では、拡散部９２は、２つの拡散領域Ａ９を有する。以下、第３変形例において、２つの拡散領域Ａ９のうちの一方を第１拡散領域Ａ９１と記載し、２つの拡散領域Ａ９のうちの他方を第２拡散領域Ａ９２と記載する。第１拡散領域Ａ９１と第２拡散領域Ａ９２とは隣り合う。第１拡散領域Ａ９１が第２拡散領域Ａ９２よりも照明器具１の照明対象物に近くなるように、照明器具１は配置される。すなわち、第３変形例において、第１拡散領域Ａ９１は、第２拡散領域Ａ９２よりも壁Ｗａに近い。
【００６７】
また、拡散部９２は、複数の拡散要素９２ａを含む。複数の拡散要素９２ａの各々は光を拡散させる。図８（ｂ）の例では、拡散要素９２ａは光を散乱させる。
【００６８】
複数の拡散要素９２ａの各々は、屈折部９１から離れるように凸状に湾曲する。拡散要素９２ａは、断面視において略欠円状である。拡散要素９２ａは、略球欠状である。
【００６９】
以下、第３変形例において、第１拡散領域Ａ９１に位置する拡散要素９２ａを第１拡散要素９２ａ１と記載し、第２拡散領域Ａ９２に位置する拡散要素９２ａを第２拡散要素９２ａ２と記載する。第１拡散要素９２ａ１の形状は、第２拡散要素９２ａ２の形状と異なる。具体的には、第１拡散要素９２ａ１の曲率は、第２拡散要素９２ａ２の曲率よりも大きい。曲率が異なることは形状が異なることを示す。また、第１拡散要素９２ａ１のサイズは、第２拡散要素９２ａ２のサイズよりも小さい。すなわち、第１拡散領域Ａ９１の単位面積当たりの第１拡散要素９２ａ１の数は、第２拡散領域Ａ９２の単位面積当たりの第２拡散要素９２ａ２の数よりも多い。複数の第１拡散要素９２ａ１は、例えば第１拡散領域Ａ９１において格子状に配置され、複数の第２拡散要素９２ａ２は、例えば第２拡散領域Ａ９２において格子状に配置される。なお、複数の第１拡散要素９２ａ１は、千鳥状に配置されてもよいし、任意に配置されてよい。
【００７０】
屈折要素９１ａは、屈折要素９１ａに入射した光ＬＴ６及び光ＬＴ７の各々を光学素子９０の厚み方向ＴＡに対して角度θ１０だけ屈折させる。屈折要素９１ａが屈折させた光ＬＴ６及び光ＬＴ７は、透過部９３に入射する。透過部９３は、透過部９３に入射した光ＬＴ６及び光ＬＴ７を透過させる。透過部９３が透過させた光ＬＴ６は、第１拡散要素９２ａ１に入射する。一方、透過部９３が透過させた光ＬＴ７は、第２拡散要素９２ａ２に入射する。
【００７１】
第１拡散要素９２ａ１は、第１拡散要素９２ａ１に入射した光ＬＴ６を拡散させる。そして、第１拡散要素９２ａ１は、第１拡散要素９２ａ１が拡散させた光ＬＴ６を光ＬＤ６として出射させる。一方、第２拡散要素９２ａ２は、第２拡散要素９２ａ２に入射した光ＬＴ７を拡散させる。そして、第２拡散要素９２ａ２が拡散させた光ＬＴ７を光ＬＤ７として出射させる。第１拡散要素９２ａ１が出射させた光ＬＤ６及び第２拡散要素９２ａ２が出射させた光ＬＤ７は、照明器具１から出射する。光ＬＤ６は、光ＬＤ７よりも広範囲に拡散している。そして、光ＬＤ６及び光ＬＤ７は、照明対象物としての壁Ｗａに照射される。
【００７２】
以上、図１及び図８を参照して説明したように、第３変形例によれば、複数の拡散領域Ａ９のうちの第１拡散領域Ａ９１に位置する第１拡散要素９２ａ１の形状は、複数の拡散領域Ａ９のうちの第２拡散領域Ａ９２に位置する第２拡散要素９２ａ２の形状と異なる。従って、第１拡散要素９２ａ１が出射させた光ＬＤ６の照明領域の広さは、第２拡散要素９２ａ２が出射させた光ＬＤ７の照明領域の広さと異なる。その結果、光ＬＤ６と光ＬＤ７とが同程度に拡散する場合よりも、光ＬＤ６による照明領域の照度と光ＬＤ７による照明領域の照度とがさらに均一になり、照明器具１の照明領域に照度ムラが発生することを抑制できる。具体的には以下のとおりである。
【００７３】
第１拡散要素９２ａ１から出射した光ＬＤ６が照明器具１の照明対象物としての壁Ｗａに到達するまでの距離は、第２拡散要素９２ａ２から出射した光ＬＤ７が照明器具１の照明対象物としての壁Ｗａに到達するまでの距離よりも短い。つまり、光ＬＤ６及び光ＬＤ７の各々が同程度に拡散して壁Ｗａを照射する場合、光ＬＤ７の照明領域の照度よりも光ＬＤ６の照明領域の照度が高く、光ＬＤ７の照明領域よりも光ＬＤ６の照明領域の方が明るい。従って、光ＬＤ６を光ＬＤ７よりも広範囲に拡散させることによって、光ＬＤ６による照明領域の照度と光ＬＤ７による照明領域の照度とが略均一になる。その結果、複数の拡散要素９２ａの形状が全て同じである場合と比較して、照明器具１の照明領域に照度ムラが発生することを抑制できる。
【００７４】
（第４変形例）
次に、図１、図９及び図１０を参照して、本実施形態の第４変形例について説明する。第４変形例に係る照明器具１は、光学素子２０に代えて、光学素子１００を備える点で、図１に示す照明器具１と異なる。以下、第４変形例に係る照明器具１について、図１に示す照明器具１と異なる点を主に説明する。
【００７５】
図９は、第４変形例に係る照明器具１を示す模式側面図である。図１０は、第４変形例に係る光学素子１００の拡大断面図である。なお、図９では、図面の簡略化のため、ヒートシンク５０のフィンを省略している。また、図１０では、図面の簡略化のため、光学素子１００の断面を示す斜線を省略している。さらに、図１０では、説明の便宜上、光学素子１００に入射する光のうち、光軸ＬＡに沿って光学素子１００に入射する光ＬＴ８のみを図示している。第４変形例では、照明器具１が天井Ｃに取り付けられ、照明器具１の照明対象物が、照明器具１の取り付けられている室内Ｒの壁Ｗａである場合を例に挙げて説明する。
【００７６】
図９及び図１０に示すように、光学素子１００は、屈折部１０１と、拡散部１０２と、透過部１０３とを備える。拡散部１０２は、屈折部１０１に対向する。拡散部１０２は光を拡散させる。図１０の例では、拡散部１０２は光を広げる。屈折部１０１は、拡散部１０２よりも発光部４０に近い。透過部１０３は、拡散部１０２と屈折部１０１との間に位置する。透過部１０３は、光を透過する。屈折部１０１の構成は、図５を参照して説明した屈折部２１の構成と同様である。また、透過部１０３の構成は、図５を参照して説明した透過部２３の構成と同様である。このため、屈折部１０１の構成及び透過部１０３の構成についての説明は省略する。
【００７７】
拡散部１０２は、拡散要素１０２ａを含む。拡散要素１０２ａは光を拡散させる。図１０の例では、拡散要素１０２ａは光を広げる。拡散要素１０２ａは、屈折部１０１に向かって凹状に湾曲する。具体的には、拡散要素１０２ａの厚みは、拡散要素１０２ａのうち照明対象物に近い側から照明対象物の遠い側に向かって漸次大きくなる。拡散要素１０２ａは、凹レンズであり、一方向（本実施形態では、Ｙ軸方向）に沿って延びている。
【００７８】
屈折要素１０１ａは、屈折要素１０１ａに入射した光ＬＴ８を光学素子１００の厚み方向ＴＡに対して角度θ１１だけ屈折させる。屈折要素１０１ａが屈折させた光ＬＴ８は、透過部１０３に入射する。透過部１０３は、透過部１０３に入射した光ＬＴ８を透過させる。透過部１０３が透過させた光ＬＴ８は、拡散要素１０２ａに入射する。拡散要素１０２ａは、拡散要素１０２ａに入射した光ＬＴ８を拡散させる。拡散要素１０２ａは、拡散要素１０２ａが拡散させた光ＬＴ８を光ＬＤ８として出射させる。拡散要素１０２ａが出射させた光ＬＤ８は、照明器具１から出射する。そして、光ＬＤ８は、照明対象物としての壁Ｗａに照射される。
【００７９】
以上、図１、図９及び図１０を参照して説明したように、第４変形例によれば、拡散部１０２は、屈折部１０１に向かって凹状に湾曲する拡散要素１０２ａを有する。従って、光学素子１００を出射する光は拡散される。具体的には光が広がる。その結果、照明器具１の照明領域に照度ムラが発生することを抑制できる。
【００８０】
以上、図面を参照しながら本発明の実施形態（変形例を含む。）について説明した。但し、本発明は、上記の実施形態に限られるものではなく、その要旨を逸脱しない範囲で種々の態様において実施することが可能である（例えば、下記に示す（１）〜（１７））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００８１】
（１）図１及び図２を参照して説明した本実施形態では、照明器具１は、天井Ｃに取り付けられるウォールウォッシャーライトであった。ただし、照明器具１の種類は特に限定されない。例えば、照明器具１は、ダウンライト又はスポットライトであってもよい。
【００８２】
（２）図３及び図４を参照して説明したように、本実施形態では、枠体１０、光学素子２０、及びヒートシンク５０の各々の形状は、平面視において略円状であった。ただし、枠体１０、光学素子２０、及びヒートシンク５０の各々の形状は略円状に限定されず、任意の形状でよい。例えば、枠体１０、光学素子２０、及びヒートシンク５０の各々は、平面視略多角形状であってもよい。
【００８３】
（３）図４を参照して説明したように、本実施形態では、枠体１０が有する第１開口１１及び第２開口１２の形状は、平面視において略円状であったが、第１開口１１及び第２開口１２の各々は略円状に限定されず、任意の形状でよい。例えば、第１開口１１及び第２開口１２の各々は、平面視略多角形状であってもよい。
【００８４】
（４）図３を参照して説明したように、本実施形態において、基板４１は、略矩形状であるが、基板４１は、略円形状であってもよいし、略多角形状であってもよい。
【００８５】
（５）図２を参照して説明したように、本実施形態では、発光部４０は、枠体１０の連結部１４の外部に位置していた。ただし、発光部４０の出射した光が連結部１４の内面１４ａに発光部４０からの直接光を入射できる限り、発光部４０は、連結部１４の内部に位置していてもよい。
【００８６】
（６）図５を参照して説明したように、本実施形態において、屈折部２１と、透過部２３と、拡散部２２とは、一体成形されていた。ただし、屈折部２１と透過部２３とが連結し、透過部２３と拡散部２２とが連結する限り、屈折部２１と、透過部２３と、拡散部２２とは、別部材で形成されてもよい。また、光学素子２０は、例えば、合成樹脂製又はガラス製である。
【００８７】
（７）図５を参照して説明したように、本実施形態において、拡散部２２は、屈折部２１から離れるように凸状に湾曲する拡散要素２２ａを有した。ただし、拡散部２２は、拡散部２２に入射する光を拡散する限り、拡散部２２は、拡散要素２２ａを含まず、平坦面であってもよい。例えば、拡散部２２は、光拡散材料を混ぜた樹脂を略円板状に成形することによって形成されてもよいし、乳白色のような色彩を有していてもよい。この場合、具体的には、拡散部２２は、光を散乱する。
【００８８】
（８）図８を参照して説明したように、第３変形例において、拡散部９２は、形状の異なる第１拡散要素９２ａ１及び第２拡散要素９２ａ２を含んだ。ただし、第１拡散領域Ａ９１から出射する光が第２拡散領域Ａ９２から出射する光よりも広範囲に拡散する限り、拡散部９２は、複数の拡散要素９２ａを含まず、平坦面であってもよい。つまり、第１拡散要素９２ａ１の性状が第２拡散要素９２ａ２の性状と異なっていればよい。第１拡散要素９２ａ１の性状とは、第１拡散要素９２ａ１による光の拡散（具体的には散乱）の程度を表す光学的性質を示す。第２拡散要素９２ａ２の性状とは、第２拡散要素９２ａ２による光の拡散（具体的には散乱）の程度を表す光学的性質を示す。
【００８９】
例えば、拡散部９２は、光を拡散する光拡散材料（具体的には光散乱材料）を混ぜた樹脂で形成される。このとき、第１拡散領域Ａ９１に含有される光拡散材料の密度は、第２拡散領域Ａ９２に含有される光拡散材料の密度よりも大きい。また、例えば、拡散部９２は、乳白色のような色彩を有する。このとき、第２拡散領域Ａ９２の光透過率は、第１拡散領域Ａ９１の光透過率よりも高い。従って、第１拡散領域Ａ９１を通過した光は、第２拡散領域Ａ９２を通過した光よりも広範囲に拡散する（具体的には散乱）。その結果、第１拡散領域Ａ９１を通過した光の照明領域の照度と、第２拡散領域Ａ９２を通過した光の照明領域の照度とが均一になり、照明器具１の照明領域に照度ムラが発生することを抑制できる。
【００９０】
（９）図５を参照して説明したように、本実施形態において、屈折部２１は複数の屈折要素２１ａを含んだが、屈折部２１が屈折部２１に入射した光を屈折させる限り、屈折部２１は、単数の屈折要素２１ａを含んでもよい。また、拡散部２２は、複数の拡散要素２２ａを含んだが、拡散部２２が拡散部２２に入射した光を拡散させる限り、拡散部２２は、単数の拡散要素２２ａを含んでもよい。屈折要素２１ａ及び／又は拡散要素２２ａが単数である場合、簡素な構造で屈折要素２１ａ及び／又は拡散要素２２ａを形成できる。屈折要素２１ａ及び／又は拡散要素２２ａが複数である場合、光学素子２０の厚みを薄くできる。
【００９１】
（１０）図１０を参照して説明したように、第４変形例において、光学素子１００の拡散部１０２は、単数の拡散要素１０２ａを含んだが、拡散部１０２が光を拡散させる限り、光学素子１００の拡散部１０２は、各々が屈折部１０１に向かって凹状に湾曲する複数の拡散要素１０２ａを含んでもよい。この場合、拡散部１０２は、略鋸歯状の断面を有する凹型のフレネルレンズとして機能する。従って、拡散要素１０２ａが単数である場合よりも、光学素子１００の厚みを薄くできる。
【００９２】
（１１）図６及び図７を参照して説明したように、第１変形例において、屈折部７１は、２つの屈折領域Ａ７を有したが、屈折部７１が屈折部７１に入射した光を屈折させる限り、屈折部７１は、３つ以上の複数の屈折領域Ａ７を有してもよい。また、第２変形例において、屈折部８１は、２つの屈折領域Ａ８を有したが、屈折部８１が屈折部８１に入射した光を屈折させる限り、屈折部８１は、３つ以上の複数の屈折領域Ａ８を有してもよい。さらに、第３変形例において、拡散部９２は、２つの拡散領域Ａ９を有したが、拡散部９２が拡散部９２に入射した光を拡散させる限り、拡散部９２は、３つ以上の複数の拡散領域Ａ９を有してもよい。
【００９３】
（１２）図２を参照して説明したように、本実施形態において、光学素子２０は、光軸ＬＡに略直交した。ただし、発光部４０が出射した光が光学素子２０に入射する限り、光学素子２０は、光軸ＬＡに対して傾斜していてもよい。
【００９４】
（１３）図８を参照して説明したように、本実施形態において、拡散部２２は、拡散要素２２ａを含んだ。ただし、拡散部２２のうちの少なくとも一部の領域に入射した光が拡散する限り、拡散部２２は、拡散要素２２ａが位置しない領域を有していてもよい。
【００９５】
（１４）図６を参照して説明したように、第１変形例において、光学素子７０は、複数の屈折領域Ａ７を有した。また、図７を参照して説明したように、第２変形例において、光学素子８０は、複数の屈折領域Ａ８を有した。さらに、図８を参照して説明したように、第３変形例において、光学素子９０は、複数の拡散領域Ａ９を有した。ただし、光学素子２０が屈折部２１と拡散部２２とを備える限り、光学素子２０は、複数の屈折領域Ａ７と、複数の拡散領域Ａ９を有してもよい。また、光学素子２０は、複数の屈折領域Ａ８と、複数の拡散領域Ａ９を有してもよい。
【００９６】
（１５）図５を参照して説明したように、本実施形態において、拡散部２２の複数の拡散要素２２ａの各々は、屈折部２１から離れるように凸状に湾曲した。ただし、拡散部２２が凹凸形状を有する限り、拡散部２２は、複数の拡散要素２２ａを含まず、粗面加工を施されていてもよい。
【００９７】
（１６）図５を参照して説明したように、本実施形態において、屈折部２１は複数の屈折要素２１ａを含んだ。ただし、屈折部２１が屈折部２１に入射した光を屈折させる限り、屈折部２１は、複数の屈折要素２１ａを含まず、平坦面であってもよい。例えば、屈折部２１は、複数の媒質で形成される。すなわち、複数の媒質によって複数の層を形成するように、屈折部２１は形成される。従って、屈折部２１に入射した光は、複数の層の各々の界面に入射するたびに屈折される。
【００９８】
（１７）本願は、さらに以下の付記を開示する。なお、以下の付記は、本発明を限定するものではない。
（付記１）
前記拡散部は、凹凸形状を有する、光学素子。
（付記２）
前記拡散部は、光を拡散させる拡散要素を含み、
前記拡散要素は、前記屈折部から離れるように凸状に湾曲している、光学素子。
（付記３）
前記拡散部は、光を拡散させる拡散要素を含み、
前記拡散要素は、前記屈折部に向かって凹状に湾曲している、光学素子。
（付記４）
前記拡散部は、光を拡散する光拡散材料を混ぜた物質で形成される、光学素子。
【産業上の利用可能性】
【００９９】
本発明は、光学素子及び照明器具に関するものであり、産業上の利用可能性を有する。
【符号の説明】
【０１００】
１        照明器具
２０，７０，８０，９０，１００      光学素子
２１，７１，８１，９１，１０１      屈折部
２１ａ，７１ａ，８１ａ，９１ａ，１０１ａ    屈折要素
２２，７２，８２，９２，１０２      拡散部
２２ａ，７２ａ，８２ａ，９２ａ，１０２ａ    拡散要素
Ａ７，Ａ８    屈折領域
Ａ９    拡散領域
【図１】
2018133241.tif 000003
【図２】
2018133241.tif 000004
【図３】
2018133241.tif 000005
【図４】
2018133241.tif 000006
【図５】
2018133241.tif 000007
【図６】
2018133241.tif 000008
【図７】
2018133241.tif 000009
【図８】
2018133241.tif 000010
【図９】
2018133241.tif 000011
【図１０】
2018133241.tif 000012